(57)【要約】【課題】単純な構造の安全ロープ張設用支持器具を取付けることができるとともに、安全ロープ張設用支持器具の設置時間と除去時間との短縮が可能であるシャックルブロックを得ること。【解決手段】天面と壁面とに孔が設けられ且つ箱体形状であるシャックルブロック本体２ａと、シャックルブロック本体２ａの底部に設けられた安全ロープ張設用支持器具３を固定する支持器具固定具５とを備えており、支持器具固定具５が、縦方向に貫通孔が形成された金属ブロックでなる取付座５ａと、取付座５ａから棒状部が抜脱するのを防止する固定手段５ｂとを備えているものである。【選択図】図２
2014088726.tif 000002
【特許請求の範囲】
【請求項１】
天面孔が設けられた天面部と側壁孔が設けられた側壁部と底部とを有する、箱体形状であるシャックルブロック本体と、上記シャックルブロック本体の底部に設けられた、棒状部と環体部とでなる安全ロープ張設用支持器具を固定する支持器具固定具とを備えており、上記支持器具固定具が、縦方向に貫通孔が形成された金属ブロックでなる取付座と、上記取付座の貫通孔にセットされた上記棒状部が、上記貫通孔から抜脱するのを防止する固定手段とを備えているシャックルブロック。
【請求項２】
上記取付座が、１つの直径方向の両端にある壁部位置に取付座壁部孔を有する円筒体であり、上記固定手段が、上記取付座壁部孔を挿通するロック用ボルトと上記ロック用ボルトに螺合するロック用ナットであることを特徴とする請求項１に記載のシャックルブロック。
【請求項３】
上記取付座が、対向する一対の側壁に取付座壁部孔を有する井筒体であり、上記固定手段が、上記取付座壁部孔を挿通するロック用ボルトと上記ロック用ボルトに螺合するロック用ナットであることを特徴とする請求項１に記載のシャックルブロック。
【請求項４】
上記取付座が円筒体であり、上記固定手段が、上記円筒体の内周に形成された、上記安全ロープ張設用支持器具の棒状部の端部に形成された雄ネジと螺合する、雌ネジであることを特徴とする請求項１に記載のシャックルブロック。
【請求項５】
天面孔が設けられた天面部と側壁孔が設けられた側壁部と底部とを有する、箱体形状であるシャックルブロック本体と、上板部と上記上板部の対向する一対の各辺から下方に延在する側板部とで形成される台部と、上記上板部の上面に接合された、安全ロープ張設用支持器具の棒状部を固定する支持器具固定具本体とで形成された支持器具固定具と、横方向へ延びた横方向延在部と上記横方向延在部の両端から上方に延びた縦方向延在部とで形成されたガイド部とを備えており、
上記ガイド部が、上記シャックルブロック本体における一対の上記側壁部の少なくとも一方に、スペーサを介して接合されており、
上記支持器具固定具が、上記台部を、上記ガイド部に沿わせて、上記シャックルブロック本体における対向する一対の上記側壁部と上記天面部とに覆設することにより設置されているシャックルブロック。
【請求項６】
上記支持器具固定具本体が、１つの直径方向の両端にある壁部位置に取付座壁部孔を有する円筒体の取付座と、上記取付座壁部孔を挿通するロック用ボルトと上記ロック用ボルトに螺合するロック用ナットでなることを特徴とする請求項５に記載のシャックルブロック。
【請求項７】
上記支持器具固定具本体が、対向する一対の側壁に取付座壁部孔を有する井筒体の取付座と、上記取付座壁部孔を挿通するロック用ボルトと上記ロック用ボルトに螺合するロック用ナットでなることを特徴とする請求項５に記載のシャックルブロック。
【請求項８】
上記支持器具固定具本体が、円筒体の取付座と、上記円筒体の内周に形成された、上記安全ロープ張設用支持器具の棒状部の端部に形成された雄ネジと螺合する、雌ネジとでなることを特徴とする請求項５に記載のシャックルブロック。
【請求項９】
屋根部に、請求項１から請求項８のいずれか１項に記載のシャックルブロックを備えたパッケージハウス。
【発明の詳細な説明】
【技術分野】
【０００１】
本発明は、コンテナタイプのパッケージハウスを吊り上げるのに用いられる、パッケージハウスの屋根に設けられたシャックルブロックと、このシャックルブロックを備えたパッケージハウスに関し、特に、安全帯ロープ支持金具を取付ける事が可能なシャックルブロックとこのシャックルブロックを備えたパッケージハウスに関する。
【背景技術】
【０００２】
従来、パッケージハウスの屋根部等の高所での作業では、作業者の転落を防止するため、安全帯、いわゆる命綱の装着が、不可欠である。そして、作業者に装着された命綱の一端は、作業場に張設された安全ロープに取付けられる。
例えば、電機機器が収納されたパッケージハウスである、移動式の電気機器設備の天井部での作業においては、パッケージハウスの両側に作業用足場を組み立て設置し、各作業足場に固定して立設した支柱間に安全ロープを張設している。
【０００３】
しかし、作業用足場に立設した支柱を用いて安全ロープを張設する場合では、作業足場用に多くの資材が必要であるとともに、作業足場の組み立てのため、作業現場で多くの作業を要するとの問題があった。また、作業足場の設置場所が必要であるが、設置場所の確保が困難な場合、安全ロープを張設できないとの問題があった。
【０００４】
そのため、作業足場を設置せずに安全ロープを張設する手段が提案されている。
電機機器が収納されたパッケージハウスの天井部には、パッケージハウスの移動における吊上げ時に吊金具を掛ける吊環が設置されている。
そこで、例えば、パッケージハウスの天井部の吊環に、安全ロープを張設する支持器具（安全ロープ張設用支持器具と記す）を係止するものが挙げられる。
【０００５】
この吊環に係止される安全ロープ張設用支持器具は、パッケージハウスの天井部に設置されるベース部と、ベース部に立設される支柱と、ベース部と支柱との間に架設されるステーとで構成されている。
そして、ベース部は、天井部上で延在する水平脚部と水平脚部と直交する方向に延在する横脚部とを有しており、水平脚部の両端には、安全ロープ張設用支持器具を、環形状の吊環に係止するフックが取付けられている（特許文献１参照）。
【先行技術文献】
【特許文献】
【０００６】
【特許文献１】特開２００８−３５９５３号公報（第６−７頁、第３図、第４図）
【発明の概要】
【発明が解決しようとする課題】
【０００７】
特許文献１に記載の安全ロープ張設用支持器具は、２個の単純な環形状である吊環に係止してパッケージハウスの天井部に設置されるものであり、構造が複雑であり多くの部品で構成されている。
すなわち、この安全ロープ張設用支持器具は、コストが高くなるとともに、組み立て工程が多く、組み立てに時間がかかるとの問題があった。
また、安全ロープ張設用支持器具を係止する２個の吊環の間隔は、パッケージハウスのサイズにより異なるので、安全ロープ張設用支持器具を吊環に係止するには、水平脚部の長さを調整する必要があり、設置に時間がかかるとの問題があった。
【０００８】
また、パッケージハウスから安全ロープ張設用支持器具を除去するにも時間がかかり、パッケージハウスの天井部での作業後にパッケージハウスを移動する場合に、時間を要するとの問題があった。
また、この安全ロープ張設用支持器具を係止する吊環は、パッケージハウスの天井部から突出しているので、最終据付場所到着途中における港等で一時仮置きで、パッケージハウスを積重ねると不安定となる。そこで、積重ねて保管する場合には、スペーサ等の補助敷板が必要となるとの問題があった。
【０００９】
本発明は、上記のような問題を解決するためになされたものであり、その目的は、部品コストの低減が可能であり、組み立て不要である単純な構造の安全ロープ張設用支持器具を取付けることができるとともに、安全ロープ張設用支持器具の、設置時間と除去時間との短縮が可能である、シャックルブロック（吊金具を掛けるためのブロック）と、天井部での作業終了後にパッケージハウスを移動する場合に移動を短時間で行えるとともに、安定して積重ね保管できる、シャックルブロックを備えたパッケージハウスを得ることである。
【課題を解決するための手段】
【００１０】
本発明に係わる第１のシャックルブロックは、天面孔が設けられた天面部と側壁孔が設けられた側壁部と底部とを有する、箱体形状であるシャックルブロック本体と、シャックルブロック本体の底部に設けられた、棒状部と環体部とでなる安全ロープ張設用支持器具を固定する支持器具固定具とを備えており、支持器具固定具が、縦方向に貫通孔が形成された金属ブロックでなる取付座と、取付座の貫通孔にセットされた棒状部が、貫通孔から抜脱するのを防止する固定手段とを備えているものである。
【００１１】
本発明に係わる第２のシャックルブロックは、天面孔が設けられた天面部と側壁孔が設けられた側壁部と底部とを有する、箱体形状であるシャックルブロック本体と、上板部と上板部の対向する一対の各辺から下方に延在する側板部とで形成される台部と、上板部の上面に接合された、安全ロープ張設用支持器具の棒状部を固定する支持器具固定具本体とで形成された支持器具固定具と、横方向へ延びた横方向延在部と横方向延在部の両端から上方に延びた縦方向延在部とで形成されたガイド部とを備えており、ガイド部が、シャックルブロック本体における一対の側壁部の少なくとも一方に、スペーサを介して接合されており、支持器具固定具が、台部を、ガイド部に沿わせて、シャックルブロック本体における対向する一対の側壁部と天面部とに覆設することにより設置されているものである。
【発明の効果】
【００１２】
本発明に係わる第１のシャックルブロックは、上記のように構成されているため、組み立て不要で単純な構造の安価な安全ロープ張設用支持器具を取付けることができるとともに、安全ロープ張設用支持器具の取付けと取外しとが簡単であり、安全ロープ張設用支持器具の、設置時間と除去時間とを短縮できる。
また、本発明に係わる第２のシャックルブロックは、上記のように構成されているため、第１のシャックルブロックと同様な効果を有し、特に、安全ロープ張設用支持器具の取付けと取外しがさらに簡単になり、設置時間と除去時間とのいっそうの短縮が可能になる。
【図面の簡単な説明】
【００１３】
【図１】本発明の実施の形態１に係わるシャックルブロックが設置されたパッケージハウスを示す斜視模式図である。
【図２】本発明の実施の形態１に係わるシャックルブロックの構造を示す斜視模式図である。
【図３】本発明の実施の形態１に係わるシャックルブロックの支持器具固定具に、安全ロープ張設用支持器具を固定する手段を示す側面模式図（ａ）と側面模式図のＡ−Ａ断面模式図（ｂ）とである。
【図４】本発明の実施の形態１に係わるシャックルブロックにおいて、シャックルが取付けられている状態を示す斜視模式図である。
【図５】本発明の実施の形態２に係わるシャックルブロックと、シャックルブロックの支持器具固定具に固定する安全ロープ張設用支持器具の棒状部とを示す側面断面模式図である。
【図６】本発明の実施の形態３に係わるシャックルブロックを示す斜視模式図である。
【発明を実施するための形態】
【００１４】
実施の形態１．
図１は、本発明の実施の形態１に係わるシャックルブロックが設置されたパッケージハウスを示す斜視模式図である。
図１は、パッケージハウス１の屋根部１ａに設置したシャックルブロック２に、安全ロープ張設用支持器具３が固定されており、安全ロープ張設用支持器具３に安全ロープ４が張設された状態を示している。
シャックルブロックとは、パッケージハウスの移動における吊上げ時に吊金具（シャックル）を取付けるブロックである。
【００１５】
図１に示すように、本実施の形態では、シャックルブロック２がパッケージハウス１の屋根部１ａの各隅部に設置されており、対向する一対のシャックルブロック２の間隙に、梁状体１０が設置されている。そして、梁状体１０のパッケージハウスの屋根部１ａに対して垂直な方向の寸法すなわち高さ方向の寸法は、シャックルブロック２の高さと同じである。
【００１６】
本実施の形態では、梁状体１０は四角柱であるが、高さ方向の寸法が、シャックルブロック２の高さと同じであるならば、これに限定されない。
また、梁状体１０は、間隔が広い方の対向した一対のシャックルブロック間に設置しているが、間隔が狭い方の対向した一対のシャックルブロック間に設置しても良い。また、梁状体１０を設置しなくても良い。
【００１７】
図２は、本発明の実施の形態１に係わるシャックルブロックの構造を示す斜視模式図である。
図２は、シャックルブロック２に安全ロープ張設用支持器具３が固定された状態を示している。
図１と図２とに示すように、本実施の形態のシャックルブロック２は、箱体形状であるシャックルブロック本体２ａと、シャックルブロック本体２ａの底部２ｆに設けられた、安全ロープ張設用支持器具３を固定する、支持器具固定具５とを備えている。
そして、シャックルブロック本体２ａの、天面部２ｂには天面孔２ｄが形成され、側壁部２ｃには側壁孔２ｅが形成されている。
【００１８】
支持器具固定具５は、取付座５ａと、ロック用ボルト５ｂとロック用ナット５ｃ（後述する）とで形成されている。
シャックルブロック本体２ａと支持器具固定具５とは共に鋼材等の金属で形成されており、取付座５ａはシャックルブロック本体２ａの底部２ｆに溶接で取付けられている。
取付座５ａは、縦方向に貫通孔が形成された金属ブロックである円筒体である。
【００１９】
また、図２に示すように、安全ロープ張設用支持器具３は、円柱状の棒状部３ａと棒状部３ａの一端に設けられた環体部３ｂとで形成されており、シャックルブロック本体２ａの天面孔２ｄを挿通した棒状部３ａの他端が取付座５ａに固定される。
すなわち、固定手段である、ロック用ボルト５ｂとロック用ナット５ｃとが、取付座５ａである円筒体の中空部に挿入された棒状部３ａの抜脱を防止する。
【００２０】
また、他端を取付座５ａに固定した安全ロープ張設用支持器具３は、棒状部３ａがシャックルブロック本体２ａの天面孔２ｄから突出している。
安全ロープ張設用支持器具３の環体部３ｂは、シャックルブロック本体２ａの天面部２ｂより上方で、所定の距離離れた位置に配置されている。この環体部３ｂは安全ロープ４を張設するためのものである。
【００２１】
図３は、本発明の実施の形態１に係わるシャックルブロックの支持器具固定具に、安全ロープ張設用支持器具を固定する手段を示す側面模式図（ａ）と側面模式図のＡ−Ａ断面模式図（ｂ）とである。
図３に示すように、支持器具固定具５の取付座５ａには、その壁部における１つの直径方向の両端にある位置に、ロック用ボルト５ｂが挿通する孔（取付座壁部孔と記す）５ｄが形成されている。また、安全ロープ張設用支持器具３の棒状部３ａには、取付座５ａにセットした時の、棒状部３ａにおける取付座壁部孔５ｄと対向する部分間を径方向で貫通する孔（棒状部貫通孔と記す）３ｃが形成されている。
【００２２】
支持器具固定具５の取付座５ａに、安全ロープ張設用支持器具３を固定する手順を説明する。
まず、安全ロープ張設用支持器具３の他端を取付座５ａの中空部に嵌合する。
次に、安全ロープ張設用支持器具３の棒状部３ａを回転させ、棒状部３ａの棒状部貫通孔３ｃと取付座５ａの取付座壁部孔５ｄとが対向するようにする。
次に、一方の取付座壁部孔５ｄと棒状部貫通孔３ｃと他方の取付座壁部孔５ｄとに、ロック用ボルト５ｂを挿通する。
最後に、ロック用ボルト５ｂのネジ部にロック用ナット５ｃを螺合し、取付座５ａに、安全ロープ張設用支持器具３を固定する。
【００２３】
また、シャックルブロック２から安全ロープ張設用支持器具３の取外しは、以下の手順で行う。
まず、ロック用ボルト５ｂのネジ部からロック用ナット５ｃを取外す。
次に、取付座５ａの取付座壁部孔５ｄと棒状部３ａの棒状部貫通孔３ｃとに挿通しているロック用ボルト５ｂを、引き抜く。
最後に、取付座５ａから、安全ロープ張設用支持器具３を取外す。
【００２４】
また、パッケージハウスの屋根部１ａ上における安全ロープ４の張設は、次のようにして行う。
パッケージハウス１の屋根部１ａの各隅部（４箇所）に設置されたシャックルブロック２に、上記のようにして固定された各安全ロープ張設用支持器具３の環体部３ｂに安全ロープ４を取付けて、隣接する安全ロープ張設用支持器具３の間に安全ロープ４を張り巡らす。
【００２５】
上記のように、本実施の形態のシャックルブロック２は、安全ロープ張設用支持器具３の取付けが簡単であり、それに伴い、安全ロープ４の張設が容易である。
また、安全ロープ張設用支持器具３の取外しが簡単であり、張設された安全ロープ４の撤去が容易である。
【００２６】
本実施の形態では、パッケージハウスの屋根部１ａの４箇所に、シャックルブロック２を設置しており、これらのシャックルブロック２に安全ロープ張設用支持器具３を固定して、安全ロープ４を張設しているが、設置するシャックルブロック２の数は、パッケージハウス１の屋根部の大きさに応じて増やしても良いが、例えば４個から８個が好ましい。
また、シャックルブロック２に固定する安全ロープ張設用支持器具３の数は、設置されたシャックルブロック２の個数以下の複数個であれば良い。
【００２７】
図４は、本発明の実施の形態１に係わるシャックルブロックにおいて、シャックルが取付けられている状態を示す斜視模式図である。
図４に示すように、本実施の形態のシャックルブロック２は、安全ロープ張設用支持器具３が固定されていない状態で、シャックルブロック本体２ａの、天面孔２ｄと１箇所の側壁孔２ｅとに、シャックル７を挿通することにより、シャックル７が取付けられる。
そして、シャックル７につながるワイヤー８で、パッケージハウス１を吊り上げる。
【００２８】
本実施の形態では、取付座は円筒体であるが、対向する一対の側壁の、シャックルブロック本体の底部と平行な線と交差する位置に、取付座壁部孔が形成された井筒体であっても良い。
この場合は、貫通孔を有する金属ブロックが井筒体であって、固定手段は、同様な、ロック用ボルト５ｂとロック用ナット５ｃである。
また、井筒体の取付座に取付けられる安全ロープ張設用支持器具の棒状部は角柱状である。
【００２９】
この井筒体の取付座への安全ロープ張設用支持器具の固定は、以下の手順で行う。
まず、取付座の中空部に棒状部の他端部を挿入する。次に、取付座の、取付座壁部孔と対向する側面間を貫通する棒状部貫通孔とに、ロック用ボルトを挿通する。最後に、ロック用ボルトのネジ部にロック用ナットを螺合する。
井筒体の取付座からの安全ロープ張設用支持器具の取外しも、ロック用ナットをロック用ボルトから外し、ロック用ナットを取付座から引抜き、棒状部を取付座から取外すことにより行う。
【００３０】
本実施の形態のシャックルブロック２は、棒状部と棒状部の一端に設けられた環体部とでなる単純な構造の安全ロープ張設用支持器具を設置できるものであり、安全ロープ張設用支持器具のコストを低減できる。それと、組み立て不要の安全ロープ張設用支持器具を設置できる。
また、シャックルブロック２は、天面部に天面孔が形成され、側壁部には側壁孔２ｅが形成され、底部に安全ロープ張設用支持器具の他端を固定する支持器具固定具を備えており、安全ロープ張設用支持器具の、取付けと取外しとが簡単であるので、安全ロープ張設用支持器具の、設置時間と除去時間とを短縮できる。
また、安全ロープ張設用支持器具を取外したシャックルブロック２は、シャックルの取付けが容易である。
【００３１】
本実施の形態のシャックルブロック２が設置されたパッケージハウスは、シャックルブロック本体２ａが箱体形状であり、その天面部が平坦であるので、安定して積重ねることができる。
特に、対向する一対のシャックルブロック２の間隙に、シャックルブロック２の高さと同じ高さの梁状体を設置した場合は、パッケージハウスを積重ねた場合の安定性がさらに向上する。
また、シャックルブロック２から、安全ロープ張設用支持器具を容易に取外すことができるので、天井部での作業終了後にパッケージハウスを吊上げて移動する場合の移動時間を短縮できる。
【００３２】
実施の形態２．
図５は、本発明の実施の形態２に係わるシャックルブロックと、シャックルブロックの支持器具固定具に固定する安全ロープ張設用支持器具の棒状部とを示す側面断面模式図である。
図５に示すように、本実施の形態のシャックルブロック１２は、シャックルブロック本体１２ａの底部１２ｆに接合した支持器具固定具１５が、内周面に雌ネジ１５ｂが形成された円筒体の取付座１５ａである以外、実施の形態１のシャックルブロック２と同様である。
すなわち、取付座１５ａが、縦方向に貫通孔が形成された金属ブロックである円筒体であり、固定手段が、円筒体の内周面に形成された雌ネジ１５ｂである。
【００３３】
すなわち、本実施の形態のシャックルブロック本体１２ａも、実施の形態１のシャックルブロック本体２ａと同様の箱体形状であり、天面部１２ｂには天面孔１２ｄが形成され、側壁部１２ｃには側壁孔１２ｅが形成されている。
また、本実施の形態のシャックルブロック１２に固定される安全ロープ張設用支持器具は、円柱状の棒状部１３ａの他端に、支持器具固定具１５である取付座１５ａの雌ネジ１５ｂと螺合する雄ネジ１３ｃが形成されている以外、実施の形態１の安全ロープ張設用支持器具３と同様である。
【００３４】
本実施の形態のシャックルブロック１２は、安全ロープ張設用支持器具における、シャックルブロック本体１２ａの天面孔１２ｄを挿通している棒状部１３ａの雄ネジ１３ｃを、支持器具固定具１５である取付座１５ａの雌ネジ１５ｂにねじ込むことにより、安全ロープ張設用支持器具を取付け、逆に、棒状部１３ａの雄ネジ１３ｃを緩めることにより、安全ロープ張設用支持器具を取外す。
すなわち、本実施の形態のシャックルブロック１２も、安全ロープ張設用支持器具の取付けと取外しが簡単である。
また、本実施の形態のシャックルブロック１２に取付けられる安全ロープ張設用支持器具も、棒状部１３ａと環体部（図示せず）とでなる単純な構造である。
【００３５】
本実施の形態のシャックルブロック１２は、上記のような構造であるので、構造が簡単である、低コストで組み立て不要な安全ロープ張設用支持器具を取付けることができる。
また、安全ロープ張設用支持器具の、取付けと取外しとが簡単であるので、安全ロープ張設用支持器具の、設置時間と除去時間とを短縮できる。
また、安全ロープ張設用支持器具を取外したシャックルブロックは、シャックルを取付けることが容易である。
【００３６】
本実施の形態のシャックルブロック１２もパッケージハウスの屋根部に設置して用いることができる。
本実施の形態のシャックルブロック１２が設置されたパッケージハウスは、シャックルブロック本体が箱体形状であり、その天面部が平坦であるので、安定して積重ねることができる。特に、対向する一対のシャックルブロックの間隙に、シャックルブロックの高さと同じ高さの梁状体を設置した場合は、パッケージハウスを積重ねた場合の安定性がさらに向上する。
また、シャックルブロックから、安全ロープ張設用支持器具を容易に取外すことができるので、天井部での作業終了後にパッケージハウスを吊上げて移動する場合の移動時間を短縮できる。
【００３７】
また、本実施の形態のシャックルブロック１２は、シャックルブロック１２への安全ロープ張設用支持器具の取付け時とシャックルブロック１２からの安全ロープ張設用支持器具の取外し時とにおいて、狭いシャックルブロック本体内での操作が不要であり、安全ロープ張設用支持器具の取付けと取外しとが、さらに簡単になる。
【００３８】
実施の形態３．
図６は、本発明の実施の形態３に係わるシャックルブロックを示す斜視模式図である。
図６に示すように、本実施の形態のシャックルブロック２２は、シャックルブロック本体２２ａと支持器具固定具２５とガイド部２９とで形成されている。図６は、シャックルブロック本体２２ａと支持器具固定具２５とを分離した状態である。
【００３９】
シャックルブロック本体２２ａは、後述する、支持器具固定具２５における台部２７の各側板部２７ｂと接する各側壁部２２ｃに、支持器具固定具２５を取付ける孔（固定孔と記す）２２ｇが形成されている以外、実施の形態１のシャックルブロック本体２ａと同様である。
すなわち、本実施の形態のシャックルブロック本体２２ａも、箱体形状であり、天面部２２ｂに天面孔２２ｄが形成され、側壁部２２ｃに側壁孔２２ｅが形成されている。
【００４０】
支持器具固定具２５は、安全ロープ張設用支持器具を固定するものであり、支持器具固定具本体２６と台部２７とで形成されている。
台部２７は、上板部２７ａと、上板部２７ａの対向する一対の各辺から下方に延在する側板部２７ｂとで形成されている。台部２７を、シャックルブロック本体２２ａにおける、対向する一対の側壁部２２ｃと天面部２２ｂとに覆設することにより、支持器具固定具２５がシャックルブロック本体２２ａに取付けられる。
【００４１】
また、側板部２７ｂの下方には、支持器具固定具２５をシャックルブロック本体２２ａに固定する固定ピン（図示せず）を挿通させる孔（固定ピン挿通孔と記す）２７ｃが設けられている。
固定ピン挿通孔２７ｃは、台部２７をシャックルブロック本体２２ａに覆設した時に、シャックルブロック本体２２ａの固定孔２２ｇと重なるようになっている。
【００４２】
また、支持器具固定具本体２６は、台部２７における上板部２７ａの上面に、溶接等で接合されている。
支持器具固定具本体２６は、安全ロープ張設用支持器具の棒状部を固定するものであり、実施の形態１の支持器具固定具と同じ構造である。すなわち、壁部に取付座壁部孔が設けられた、円筒体また井筒体である取付座と、ロック用ボルトとロック用ナットとで形成されている。
井筒体の取付座の場合、台部の上板部２７ａと平行な線と交差する壁部位置に、取付座壁部孔が形成されれば良い。
すなわち、本実施の形態の支持器具固定具２５には、実施の形態１の安全ロープ張設用支持器具を取付けることができる。
【００４３】
また、ガイド部２９は、横方へ延びた横方向延在部２９ａと、横方向延在部２９ａの両端から上方に延びた縦方向延在部２９ｂとで形成されており、シャックルブロック本体２２ａにおける、台部２７が覆設される両側壁部２２ｃの、少なくとも一方に、スペーサ（図示せず）を介して接合されている。
そして、ガイド部２９における、横方向延在部２９ａおよび縦方向延在部２９ｂと、シャックルブロック本体２２ａの側壁部２２ｃとの間隙に、台部２７の側板部２７ｂが挿入される。
すなわち、支持器具固定具２５は、その台部２７の側板部２７ｂをガイド部２９に沿わせて、台部２７をシャックルブロック本体２２ａに覆設する。
【００４４】
また、挿入された側板部２７ｂに形成された固定ピン挿通孔２７ｃとシャックルブロック本体２２ａの固定孔２２ｇとを同時に挿通する固定ピンで、支持器具固定具２５をシャックルブロック本体２２ａに固定する。
逆に、シャックルブロック本体２２ａからの支持器具固定具２５の取外しは、固定ピンを抜くことにより行う。
【００４５】
本実施の形態のシャックルブロック２２は、上記のような構造となっているので、構造が簡単であり、低コストで組み立て不要な安全ロープ張設用支持器具を取付けることができる。
また、安全ロープ張設用支持器具の、取付けと取外しとが簡単であるので、安全ロープ張設用支持器具の、設置時間と除去時間とを短縮できる。
また、支持器具固定具２５を取外したシャックルブロック本体２２ａは、シャックルを取付けることが容易である。
【００４６】
本実施の形態のシャックルブロック２２もパッケージハウスの屋根部に設置して用いることができる。
本実施の形態のシャックルブロック２２が設置されたパッケージハウスは、シャックルブロック本体２２ａが箱体形状であり、その天面部が平坦であるので、取外しが容易な支持器具固定具を取除くことにより、安定して積重ねることができる。
特に、対向する一対のシャックルブロックの間隙に、シャックルブロック本体の高さと同じ高さの梁状体を設置した場合は、パッケージハウスを積重ねた場合の安定性がさらに向上する。
【００４７】
また、シャックルブロック本体から、支持器具固定具とともに安全ロープ張設用支持器具を容易に取外すことができるので、天井部での作業終了後にパッケージハウスを吊上げて移動する場合の移動時間を短縮できる。
また、本実施の形態のシャックルブロック２２は、シャックルブロック本体の外側に安全ロープ張設用支持器具を取付ける支持器具固定具本体があるので、安全ロープ張設用支持器具の取付けが、さらに容易になる。
【００４８】
本実施の形態では、支持器具固定具本体が、実施の形態１の支持器具固定具と同じであるが、実施の形態２にある、内周面に雌ネジが形成された円筒体の取付座でなる支持器具固定具であっても良い。
この場合も、実施の形態２の安全ロープ張設用支持器具を用いることができ、同様の効果を得ることができる。
なお、本発明は、その発明の範囲内において、各実施の形態を自由に組み合わせたり、各実施の形態を適宜、変形、省略することが可能である。
【産業上の利用可能性】
【００４９】
本発明に係わるシャックルブロックは、構造が簡単で、低コストで組み立て不要な安全ロープ張設用支持器具を取付けることができ、安全ロープ張設用支持器具の取付けと取外しとが簡単であるので、安全ロープ張設用支持器具の、設置時間と除去時間とを短縮でき、且つシャックルの取付けが容易でるので、コスト低減と作業性向上が要求される、パッケージハウスの屋根での作業に用いられる。
【符号の説明】
【００５０】
１  パッケージハウス、１ａ  屋根部、２  シャックルブロック、
２ａ  シャックルブロック本体、２ｂ  天面部、２ｃ  側壁部、２ｄ  天面孔、
２ｅ  側壁孔、２ｆ  底部、３  安全ロープ張設用支持器具、３ａ  棒状部、
３ｂ  環体部、３ｃ  棒状部貫通孔、４  安全ロープ、５  支持器具固定具、
５ａ  取付座、５ｂ  ロック用ボルト、５ｃ  ロック用ナット、５ｄ  取付座壁部孔、
７  シャックル、８  ワイヤー、１０  梁状体、１２  シャックルブロック、
１２ａ  シャックルブロック本体、１２ｂ  天面部、１２ｃ  側壁部、１２ｄ  天面孔、
１２ｅ  側壁孔、１２ｆ  底部、１３ａ  棒状部、１３ｃ  雄ネジ、
１５  支持器具固定具、１５ａ  取付座、１５ｂ  雌ネジ、２２  シャックルブロック、
２２ａ  シャックルブロック本体、２２ｂ  天面部、２２ｃ  側壁部、２２ｄ  天面孔、
２２ｅ  側壁孔、２２ｇ  固定孔、２５  支持器具固定具、２６  支持器具固定具本体、
２７  台部、２７ａ  上板部、２７ｂ  側板部、２７ｃ  固定ピン挿通孔、
２９  ガイド部、２９ａ  横方向延在部、２９ｂ  縦方向延在部。
【図１】
2014088726.tif 000003
【図２】
2014088726.tif 000004
【図３】
2014088726.tif 000005
【図４】
2014088726.tif 000006
【図５】
2014088726.tif 000007
【図６】
2014088726.tif 000008